(57)【要約】【課題】  無線LAN通信において携帯装置の消費電力を節減する。【解決手段】  非接触リーダ/ライタ(320)によってRF IDタグの存在が検出されたとき、情報処理端末(300)はリーダ/ライタにRF IDタグの状態フラグ(426)を第１の状態に書換えさせ携帯電話機(400)の存在情報を情報処理装置(100)に送信する。携帯電話機はRF IDタグの状態フラグが第１状態のとき無線ＬＡＮ通信機能(414)をディセーブルする。情報処理装置は存在情報を受信してデータベース(104)に格納する。情報処理装置は、携帯電話機へのIP電話の着呼の要求を受信したとき、データベースを検索して情報処理端末に着呼情報を送信し無線LANアクセスポイント(200)に着呼を表すＩＰパケットを送信する。情報処理端末は、情報処理装置から着呼情報を受信したときリーダ/ライタにRF IDタグの状態フラグを第２状態に書換えさせる。携帯電話機はRF IDタグの状態フラグが第２状態のとき無線LAN通信機能をイネーブルする。【選択図】  図１
2006319878.tif 000002
【特許請求の範囲】
【請求項１】
外部ネットワーク、内部ネットワークおよび無線ＬＡＮアクセス・ポイントに接続された情報処理装置と、前記内部ネットワークを介して前記情報処理装置に接続された情報処理端末と、前記無線ＬＡＮアクセス・ポイントに接続可能な携帯電話機と、を含むＩＰ電話システムであって、
前記携帯電話機は、前記無線ＬＡＮアクセス・ポイントと通信するための無線ＬＡＮ通信機能と、ＲＦ  ＩＤタグと、を含み、
前記情報処理端末は、前記ＲＦ  ＩＤタグを読み取り前記ＲＦ  ＩＤタグに書き込むよう構成された非接触読取り書込み装置を有し、
前記非接触読取り書込み装置によって前記ＲＦ  ＩＤタグの存在が検出されたとき、前記情報処理端末は、前記非接触読取り書込み装置に前記ＲＦ  ＩＤタグの状態フラグを前記携帯電話機の無線ＬＡＮ通信機能の非活動状態を表す第１の状態に書き換えさせ、前記携帯電話機の存在を表す存在情報を前記情報処理装置に送信し、
前記携帯電話機は、前記ＲＦ  ＩＤタグの状態フラグが前記第１の状態のとき前記無線ＬＡＮ通信機能をディセーブルし、
前記情報処理装置は、前記存在情報を受信してデータベースに格納し、
前記情報処理装置は、前記携帯電話機へのＩＰ電話の着呼の要求を受信したとき、前記データベースを検索して、前記情報処理端末に前記着呼を表す着呼情報を送信し、かつ前記無線ＬＡＮアクセス・ポイントに着呼を表すＩＰパケットを送信し、
前記情報処理端末は、前記情報処理装置から前記着呼情報を受信したとき、前記非接触読取り書込み装置に前記ＲＦ  ＩＤタグの状態フラグを前記携帯電話機の無線ＬＡＮ通信機能の活動状態を表す第２の状態に書き換えさせ、
前記携帯電話機は、前記ＲＦ  ＩＤタグの状態フラグが前記第２の状態のとき前記無線ＬＡＮ通信機能をイネーブルし、ＩＰ電話通信可能とするものであることを特徴とする、
ＩＰ電話システム。
【請求項２】
外部ネットワークおよび無線ＬＡＮアクセス・ポイントに接続された情報処理装置に内部ネットワークを介して接続可能な情報処理端末であって、
プロセッサと、
記憶装置と、
携帯電話機に設けられたＲＦ  ＩＤタグを読み取り前記ＲＦ  ＩＤタグに書き込むよう構成された非接触読取り書込み装置と、
を具え、
前記非接触読取り書込み装置によって前記ＲＦ  ＩＤタグの存在が検出されたとき、前記プロセッサは、前記非接触読取り書込み装置に、前記携帯電話機の前記ＲＦ  ＩＤタグの状態フラグを前記携帯電話機の無線ＬＡＮ通信機能の非活動状態を表す第１の状態に書き換えさせ、前記携帯電話機の存在位置を表す存在情報を前記情報処理装置に送信し、
前記情報処理装置から前記着呼情報を受信したとき、前記プロセッサは、前記非接触読取り書込み装置に、前記携帯電話機の前記ＲＦ  ＩＤタグの状態フラグを前記携帯電話機の前記無線ＬＡＮ通信機能の活動状態を表す第２の状態に書き換えさせることを特徴とする、
情報処理端末。
【請求項３】
外部ネットワーク、内部ネットワークおよび無線ＬＡＮアクセス・ポイントに接続され、前記内部ネットワークを介して情報処理端末に接続される情報処理装置であって、
プロセッサと、データベースと、を具え、
前記プロセッサは、前記情報処理端末から携帯電話機の存在位置を表す存在情報を受信して前記携帯電話の電話番号に対応付けて前記データベースに格納し、
前記プロセッサは、前記携帯電話機へのＩＰ電話の着呼の要求を受信したとき、前記データベースを検索して、前記着呼を表す着呼情報を前記情報処理端末に送信し、かつ前記着呼を表すＩＰパケットを前記無線ＬＡＮアクセス・ポイントに送信し、
前記プロセッサは、前記情報処理端末から前記携帯電話機の不存在を表す不存在情報を受信したとき、前記外部ネットワークと前記移動体通信網とを介して前記携帯電話機に無線ＬＡＮ通信機能をイネーブルさせる命令のメッセージを送信することを特徴とする、情報処理装置。
【請求項４】
移動体通信網と無線ＬＡＮアクセス・ポイントとに接続可能な携帯電話機であって、
制御部と、
記憶装置と、
前記無線ＬＡＮアクセス・ポイントを介して通信するよう構成された無線ＬＡＮ通信部と、
前記移動体通信網を介して通信するよう構成された移動体通信部と、
情報処理端末の非接触読取り書込み装置によって読み取られ書き込まれ、前記制御部によって読み取り可能なＲＦ  ＩＤタグと、を具え、
前記非接触読取り書込み装置によって前記ＲＦ  ＩＤタグの状態フラグが第１の状態に書き換えられたとき、前記プロセッサは、前記無線ＬＡＮ通信部をディセーブルし、
前記非接触読取り書込み装置によって前記ＲＦ  ＩＤタグの前記状態フラグが第２の状態に書き換えられたとき、前記プロセッサは、前記無線ＬＡＮ通信部をイネーブルし、
前記プロセッサは、前記移動体通信網を介して、前記ＲＦ  ＩＤタグの前記状態フラグを前記第２の状態に変更するよう命令するメッセージを受信したとき、前記ＲＦ  ＩＤタグの状態フラグを前記第２の状態に変更するものであることを特徴とする、携帯電話機。
【請求項５】
外部ネットワークおよび無線ＬＡＮアクセス・ポイントに接続された情報処理装置に内部ネットワークを介して接続可能であり、携帯電話機に設けられたＲＦ  ＩＤタグを読み取り前記ＲＦ  ＩＤタグに書き込むよう構成された非接触読取り書込み装置を具えた情報処理端末用のプログラムであって、
前記非接触読取り書込み装置によって前記ＲＦ  ＩＤタグの存在が検出されたとき、前記非接触取り書き込み装置に、前記携帯電話機の前記ＲＦ  ＩＤタグの状態フラグを前記携帯電話機の無線ＬＡＮ通信機能の非活動状態を表す第１の状態に書き換えさせ、前記携帯電話機の存在を表す存在情報を前記情報処理装置に送信するステップと、
前記情報処理装置から前記着呼情報を受信したとき、前記非接触読取り書込み装置に前記携帯電話機の前記ＲＦ  ＩＤタグの状態フラグを前記携帯電話機の前記無線ＬＡＮ通信機能の活動状態を表す第２の状態に書き換えさせるステップと、
を実行させるよう動作可能なプログラム。
【発明の詳細な説明】
【技術分野】
【０００１】
本発明は、ＬＡＮの無線基地局を介したＩＰ移動電話に関し、特に、移動電話機のバッテリ消費電力を節減することを可能にする移動電話システムに関する。
【背景技術】
【０００２】
最近、オフィスにおいて急速にイントラネットおよびインターネット上でＶｏＩＰ（Voice over IP）を用いたＩＰ電話システムが普及しつつある。
【０００３】
一方、例えばＦＯＭＡ（登録商標）の携帯電話機のような、移動体通信網上の電話モジュールと無線ＬＡＮ上のＩＰ電話モジュールとを組み込んだ携帯電話機が出現している。
【０００４】
笹倉、他によって１９９９年３月３０日に公開された特開平１１−８８４９９号公報（Ａ）（特許第２９３１２７６号（Ｂ）に対応）には、携帯電話機の使用を制限する装置が記載されている。使用制限装置は、識別コード信号を一定の強度で送り出す識別信号送信ユニットと、受信した識別コード信号に基づいて使用制限を解除する信号を携帯電話機へ送り出すと共に同じコード信号の確認コード信号を一定の強度で送信する使用制限解除ユニットであって携帯電話機に付設したユニットと、から成る。両ユニット間の距離が一定以内であれば、識別信号送信ユニットから受信した識別コード信号が自己のものであることを検出した信号に基づいて、使用制限解除ユニットから確認コード信号を送信すると共に使用制限解信号を携帯電話機へ送り出す。両ユニット間の距離が一定以上となりそれぞれのユニットにおいて相手方ユニットからのコード信号の受信レベルが所定値以下になると、使用制限解除ユニットは、使用制限解除信号の送り出しを停止させ、識別信号送信ユニットは警報信号を発する。
【特許文献１】特開平１１−８８４９９号公報
【０００５】
綾塚、他によって２００３年１月３１日付けで公開された特開２００３−３２２６１号公報（Ａ）には、通信システムが記載されている。そのシステムにおいて、携帯電話機には、パーソナルコンピュータのリーダライタと電磁波により通信する非接触ＩＣカードが設けられている。ユーザが携帯電話機をパーソナルコンピュータに近接させ、リーダライタから輻射される電磁波が、その非接触ＩＣカードにおいて受信されたとき、携帯電話機は、非接触ＩＣカードのカードＩＤをパーソナルコンピュータに通知する。カードＩＤには、パーソナルコンピュータがピコネット内同期を確立した後に、ブルートゥースにより通信する相手のブルートゥースデバイス名が含まれており、パーソナルコンピュータは、それに基づいて、通信相手を特定する。
【特許文献２】特開２００３−３２２６１号公報
【０００６】
峯尾によって２００４年８月１９日付けで公開された特開２００４−２３５７１３号公報（Ａ）には、待機電力が大きい接続待機時間を最小限にしつつ、移動体通信端末が滞在するエリアに応じた情報提供、通話および電子メールの即時着信を行うことが可能な情報提供システムが記載されている。その情報提供システムは、最小電力での接続待機状態である移動体通信端末に取り付けられたＲＦＩＤタグに無線電波を発信して移動体通信端末の端末識別情報を読取るＲＦＩＤリーダと、第１通信手段を介して移動体通信端末に情報を提供する情報提供サーバと、を備える。ＲＦＩＤリーダは識別情報送信手段を備える。情報提供サーバは、識別情報受信手段、端末特定手段、エリア特定手段および情報提供手段を備える。
【特許文献３】特開２００４−２３５７１３号公報
【発明の開示】
【発明が解決しようとする課題】
【０００７】
携帯電話機では、バッテリの容量の制限があるので、できるだけ消費電力を減らし、バッテリ使用可能時間を延ばすことに対する要求がある。無線ＬＡＮ用の携帯電話機は、待ち受け状態でもアクセス・ポイントから周期的にビーコン信号を受信しており、その消費電力のためにバッテリ使用可能時間が短くなる。
【０００８】
発明者たちは、情報処理端末が配置された或る距離範囲において、携帯電話機が無線ＬＡＮのアクセス・ポイントからのビーコン信号を受信せず応答もせず、発呼および着呼のときだけアクセス・ポイントと通信可能となるようにすれば消費電力を減らすことができる、と認識した。
【０００９】
本発明の目的は、ＩＰ電話を行う際の無線ＬＡＮ通信において携帯装置の消費電力を節減することである。
【課題を解決するための手段】
【００１０】
本発明の特徴によれば、ＩＰ電話システムは、外部ネットワーク、内部ネットワークおよび無線ＬＡＮアクセス・ポイントに接続された情報処理装置と、その内部ネットワークを介してその情報処理装置に接続された情報処理端末と、その無線ＬＡＮアクセス・ポイントに接続可能な携帯電話機と、を含み、その携帯電話機は、その無線ＬＡＮアクセス・ポイントと通信するための無線ＬＡＮ通信機能と、ＲＦ  ＩＤタグと、を含み、その情報処理端末は、そのＲＦ  ＩＤタグを読み取りそのＲＦ  ＩＤタグに書き込むよう構成された非接触読取り書込み装置を有しており、その非接触読取り書込み装置によってそのＲＦ  ＩＤタグの存在が検出されたとき、その情報処理端末は、その非接触読取り書込み装置にそのＲＦ  ＩＤタグの状態フラグを第１の状態に書き換えさせ、その携帯電話機の存在を表す存在情報をその情報処理装置に送信し、その携帯電話機は、そのＲＦ  ＩＤタグの状態フラグがその第１の状態のときその無線ＬＡＮ通信機能をディセーブルし、その情報処理装置は、その存在情報を受信してデータベースに格納し、その情報処理装置は、その携帯電話機へのＩＰ電話の着呼の要求を受信したとき、そのデータベースを検索して、その情報処理端末にその着呼を表す着呼情報を送信し、かつその無線ＬＡＮアクセス・ポイントに着呼を表すＩＰパケットを送信し、その情報処理端末は、その情報処理装置からその着呼情報を受信したとき、その非接触読取り書込み装置にそのＲＦ  ＩＤタグの状態フラグを第２の状態に書き換えさせ、その携帯電話機は、そのＲＦ  ＩＤタグの状態フラグがその第２の状態のときその無線ＬＡＮ通信機能をイネーブルする。
【００１１】
本発明は、上述のシステムを実現する情報処理端末および携帯電話機に関する。
【００１２】
本発明は、また、上述の情報処理端末および携帯電話機を実現するプログラムに関する。
【発明の効果】
【００１３】
本発明によれば、無線ＬＡＮ通信において携帯装置の消費電力を節減することができる。
【発明を実施するための最良の形態】
【００１４】
本発明の実施形態を、図面を参照して説明する。図面において、同様の構成要素には同じ参照番号が付されている。
【００１５】
図１は、本発明の実施形態による、無線ＬＡＮ（ローカルエリア・ネットワーク）を介したＩＰ電話システムの概略的な構成を示している。ＩＰ電話システムは、インターネットのような外部のＩＰネットワーク１０と有線ＬＡＮ２５とに接続された呼制御装置１００と、ＩＰネットワーク１０に接続された無線ＬＡＮアクセス・ポイント（ＡＰ）２００と、有線ＬＡＮ２５に接続された情報処理端末３００と、移動体通信網１４との間の電話通信用の通信部および無線ＬＡＮアクセス・ポイント２００との間の無線ＬＡＮ電話通信用の通信部を有する携帯電話機４００と、携帯電話機４００に内蔵されているＲＦ  ＩＤタグに対して読み取りおよび書き込みを行う非接触リーダ／ライタ（Ｒ／Ｗ）２８０と、を含んでいる。有線ＬＡＮ２５は、呼制御装置１００に接続された無線ＬＡＮアクセス・ポイント２００によって実現される無線ＬＡＮに置き換えることもできる。代替構成として、無線ＬＡＮアクセス・ポイント２００は有線ＬＡＮ２５を介することなく呼制御装置１００に直接接続されていてもよい。
【００１６】
携帯電話機４００は、移動体通信網１４を介して他の携帯電話機４８０等と電話通信を行うことができ、無線ＬＡＮエリア２０内で無線ＬＡＮアクセス・ポイント２００を介して他の無線ＬＡＮ電話機４８２と電話通信を行うことができ、さらに、無線ＬＡＮアクセス・ポイント２００、呼制御装置１００、インターネット１０および移動体通信網１４を介して、例えば携帯電話機４８０のような外部の電話機とＩＰ電話通信を行うことができる。
【００１７】
図２は、本発明の実施形態による情報処理装置１００の構成を示している。情報処理装置１００は、プロセッサ１０２と、記憶装置１０３と、データベース（ＤＢ）１０４と、ＩＰネットワーク１０に接続されたネットワーク・インタフェース（ＮＷ／ＩＦ）１１１と、ＬＡＮ２５に接続されたネットワーク・インタフェース（ＮＷ／ＩＦ）１１３と、を具えている。データベース１０４には、無線ＬＡＮアクセス・ポイント２００を介してＩＰ電話通信を行う携帯電話機４００および４８２等のＩＰ電話番号および関連する情報が格納されている。さらに、携帯電話機４００が情報処理端末３００の近くにある場合は、その情報処理端末４００のＩＰアドレスが格納されている。プロセッサ１０２の機能は、記憶装置１０３に格納されたプログラムに従ってプロセッサ１０２上で実装されても、ＬＳＩのようなハードウェアの形態で実装されていてもよい。
【００１８】
図３は、本発明の実施形態による情報処理端末３００の構成を示している。情報処理端末３００は、プロセッサ３０２と、記憶装置３０３と、表示装置３０４と、入力装置３０６と、ＬＡＮ２５に接続されたネットワーク・インタフェース３１２と、ＲＦ  ＩＤタグに対して情報の書き込みおよび読み取りを行う非接触リーダ／ライタ（Ｒ／Ｗ）３２０と、を具えている。情報処理端末３００と非接触リーダ／ライタ３２０とは接続されている。プロセッサ３０２の機能は、記憶装置３０３に格納されたプログラムに従ってプロセッサ３０２上で実装されても、ＬＳＩのようなハードウェアの形態で実装されていてもよい。
【００１９】
図４は、本発明の実施形態による携帯電話機４００の構成を示している。携帯電話機４００は、プロセッサ４０２と、記憶装置４０６と、制御部４０６と、複数のキー４０８と、マイクロフォン、レシーバおよびスピーカを含む音響部４１０と、表示装置４１２と、無線ＬＡＮ通信部４１４と、移動体網通信部４１６と、バッテリ４１８と、ＲＦ  ＩＤタグ４２０と、を具えている。携帯電話機４００に内蔵されているＲＦ  ＩＤタグ４２０は、携帯電話４００と接続されており、携帯電話４００の制御部４０６は、ＲＦ  ＩＤタグ４２０のメモリを読むことができる。制御部４０６の機能は、記憶装置４０６に格納されたプログラムに従ってプロセッサ４０２上で実装されてもよい。
【００２０】
ＲＦ  ＩＤタグ４２０は、パッシブ・タイプであってもまたはアクティブ・タイプであってもよく、携帯電話機４００の識別を表す所定のＩＤ４２４および無線ＬＡＮ機能の動作状態を表す状態フラグ（ＦＬＧ）４２６を格納している。ＲＦ  ＩＤタグ４２０は、パッシブ・タイプの方がよりバッテリの電力を消費しなくて済む。制御部４０６は、ＲＦ  ＩＤタグ４２０を制御してＲＦ  ＩＤタグ４２０に対して情報の書き込み、更新および読み取りを行う。ＲＦ  ＩＤタグ４２０は、非接触リーダ／ライタ（Ｒ／Ｗ）２８０および情報処理端末３００の非接触リーダ／ライタ（Ｒ／Ｗ）３２０によって周知の形態で情報の読み取りおよび書き込みが行われる。情報処理端末３００は、例えばユーザが使用できるオフィス内のパーソナル・コンピュータであってもよい。バッテリ４１８は、携帯電話機４００の要素４０２〜４１６に給電し、ＲＦ  ＩＤタグ４２０がアクティブ・タイプの場合はＲＦ  ＩＤタグ４２０に給電もする。移動体網通信部４１６は、ディセーブルされているとき消費電力が最小またはゼロになる。
【００２１】
図５は、図１の矢印（１）および（２）で示されているように、ユーザが携帯電話機４００を所持して無線ＬＡＮエリア２０に入り、さらに情報処理端末３００の非接触リーダ／ライタ３２０のＲ／Ｗエリア３０に入った場合における、携帯電話機４００、情報処理端末３００および呼制御装置１００の動作を示している。
【００２２】
図１および５を参照すると、無線ＬＡＮエリア２０の外（図１、右端）では、携帯電話機４００のＲＦ  ＩＤタグ４２０は無線ＬＡＮ通信部４１４の非活動状態を表す状態フラグ（ＦＬＧ）値“００”（状態５０２）を有する。矢印（１）で示されているように、ユーザが携帯電話機４００を所持して無線ＬＡＮエリア２０に入ると、ステップ５０４において、無線ＬＡＮエリア２０の入り口に配置されている非接触リーダ／ライタ２８０によって、携帯電話機４００のＲＦ  ＩＤタグ４２０中の状態フラグ（ＦＬＧ）４２６が値“００”から、無線ＬＡＮ通信部４１４の活動状態を表す値“０１”（状態５０６）に書き換えられる。ＲＦ  ＩＤタグ４２０中の状態フラグ４２６が書き換えられると、ステップ５０８において、携帯電話機４００の制御部４０６はその書き換えイベントを検出して状態フラグ４２６の値を読み取る。次いで、制御部４０６は、状態フラグ４２６の値“０１”に従って無線ＬＡＮ通信部４１４をイネーブルする。
【００２３】
手順５５０において、無線ＬＡＮエリア２０において状態フラグ４２６が値“０１”のとき、携帯電話機４００は、通常の形態で無線ＬＡＮアクセス・ポイント２００からビーコン信号を受信する。携帯電話機４００は、無線ＬＡＮアクセス・ポイント２００を介して発呼および着呼して、無線ＬＡＮエリア２０内に位置する別の携帯電話機４８２および無線ＬＡＮエリア２０外に位置する別の携帯電話機４８０との間で電話通信を行うことができる。
【００２４】
矢印（２）で示されているように、ユーザが携帯電話機４００を所持して無線ＬＡＮエリア２０内に位置する情報処理端末３００の非接触リーダ／ライタ３２０の通信範囲であるＲ／Ｗエリア３０に入ると、ステップ５０８において非接触リーダ／ライタ３２０は、情報処理端末３００のプロセッサ３０２の制御の下で携帯電話機４００のＲＦ  ＩＤタグ４２０を検出し、ＩＤ４２４（例えば“ＸＸＸ００１”）および状態フラグ４２６の値“０１”を読み取る。ステップ５１２において、状態フラグ４２６の値“０１”に応答して、プロセッサ３０は、非接触リーダ／ライタ３２０に、携帯電話機４００のＲＦ  ＩＤタグ４２０中の状態フラグ４２６を、無線ＬＡＮ通信部４１４の活動状態を表す値“０１”から、無線ＬＡＮ通信部４１４の非活動状態を表す値“００”に書き換えさせる。さらに、プロセッサ３０は、記憶装置３０３に予め格納されていた携帯電話機４００のＩＰ電話番号（例えば“０５０−ＡＡＡＡ−ＢＢＢＢ”）およびＩＤ４２４（例えば“ＸＸＸ００１”）に対応付けて、状態フラグ４２６の値“００” およびＲ／Ｗエリア３０における携帯電話機４００の存在を表す状態情報“１”）を記憶装置３０３に格納する。携帯電話機４００のＩＰ電話番号は、記憶装置３０３にではなく、ＲＦ  ＩＤタグ４２０のメモリに格納しておいてもよい。
【００２５】
ステップ５１６において、プロセッサ３０２は、携帯電話機４００の位置および状態を表す、非接触リーダ／ライタ３２０のＩＤ（例えば“００３”）、携帯電話機４００のＩＰ電話番号（例えば“０５０−ＡＡＡＡ−ＢＢＢＢ”）、ＩＤ４２４（例えば“ＸＸＸ００１”）および状態フラグ４２６の値（“００”）、およびＲ／Ｗエリア３０における携帯電話機４００の存在を表す状態情報“１”を呼制御装置１００に携帯電話機４００の情報として、情報処理端末のＩＰアドレスとともに送信する。ステップ５１８において、呼制御装置１００のプロセッサ１０２はその情報を予め登録されていたＩＰ電話番号に対応付けてデータベース１０４に保存する。
【００２６】
ステップ５２０において、携帯電話機４００の制御部４０６は、状態フラグ４２６の値“００”に従って無線ＬＡＮ通信部４１４をディセーブルする。無線ＬＡＮ通信部４１４は、ディセーブルされたことによって無線ＬＡＮアクセス・ポイント２００から送信されたビーコン信号を受信しない。従って、バッテリ４１８の電力消費を節減することができる。このようにして、Ｒ／Ｗエリア３０において、携帯電話機４００の無線ＬＡＮ通信部４１４は常に非活動状態になっている。但し、移動体通信部４１６は常に活動状態となっている。その後、ステップ５２２において非接触リーダ／ライタ３２０は通常の形態で周期的にＲＦ  ＩＤタグ４２０中のＩＤ４２４および状態フラグ４２６を読み取る。
【００２７】
図６は、図１の矢印（３）で示されているように、ユーザが携帯電話機４００を所持してＲ／Ｗエリア３０を出て無線ＬＡＮエリア２０内の別の位置に移動した場合における、携帯電話機４００、情報処理端末３００および呼制御装置１００の動作を示している。
【００２８】
図１および６を参照すると、ステップ５２２において、携帯電話機４００がＲ／Ｗエリア３０内に位置するとき、非接触リーダ／ライタ３２０は通常の形態で周期的にＲＦ  ＩＤタグ４２０中のＩＤ４２４および状態フラグ４２６を読み取る。
【００２９】
ユーザが携帯電話機４００を所持してＲ／Ｗエリア３０を出て無線ＬＡＮエリア２０内の別の位置に移動すると、ステップ５３４において非接触リーダ／ライタ３２０が携帯電話機４００ＲＦ  ＩＤタグ４２０の読み取りを試みるが、ＲＦ  ＩＤタグ４２０を検出できない。ステップ５３６において、情報処理端末３００のプロセッサ３０２は、ＲＦ  ＩＤタグ４２０の不検出に応答して、非接触リーダ／ライタ３２０のＩＤ、携帯電話機４００のＩＰ電話番号およびＩＤ４２４、状態フラグ４２６の値（“００”）、およびＲ／Ｗエリア３０に携帯電話機４００が存在しないことを表す状態情報（“０”）を呼制御装置１００に送信する。次いで、プロセッサ３０２は、記憶装置３０３に格納されていた状態フラグ４２６の値および状態情報を、エリア外にあることを表す値にする。ステップ５３８において、呼制御装置１００のプロセッサ１０２は、受信した状態情報を用いてデータベース１０４に保存されている携帯電話機４００に関する情報を更新する。
【００３０】
ステップ５４０において、プロセッサ１０２は、ＩＰネットワーク１０および移動体通信網１４を介して、状態フラグの値を“０１”に書き換えされる命令すなわち無線通信部４１４をイネーブルする命令を含むショート・メッセージＳＭを携帯電話機４００宛に送信する。ステップ５４２において、そのショート・メッセージＳＭはインターネット１０および移動体通信網１４を介して携帯電話機４００に転送される。ステップ５４４において、携帯電話機４００の移動体通信部４１６によって受信されたそのショート・メッセージＳＭに応答して、制御部４０６は、ＲＦ  ＩＤタグ４２０の状態フラグ４２６を値“００”から値“０１”に書き換える。ステップ５４８において、制御部４０６は、書き換えイベントに応答して、書き換えられたフラグ値“０１”に従って無線ＬＡＮ通信部４１４をイネーブルする。手順５５０において、携帯電話機４００は、通常の形態で無線ＬＡＮアクセス・ポイント２００からビーコン信号を受信する。このようにして携帯電話機４００は、無線ＬＡＮ上で通話できるようになる。
【００３１】
矢印（６）で示されているように、ユーザが携帯電話機４００を所持して非接触リーダ／ライタ２８０を通過して無線ＬＡＮエリア２０から出るとき、非接触リーダ／ライタ２８０は、携帯電話機４００のＲＦ  ＩＤタグ４２０の状態フラグ４２６の値“０１”を値“００”に書き換える。制御部４０６は、その状態フラグ４２６の値“００”に従って、無線ＬＡＮ通信部４１４をディセーブルする。
【００３２】
図７は、携帯電話機４００がＲ／Ｗエリア３０内に位置するときに携帯電話機４００に呼を着信させるための手順を示している。
【００３３】
図７を参照すると、ステップ５２２において非接触リーダ／ライタ３２０は周期的にＲＦ  ＩＤタグ４２０中の状態５２４で示されたＩＤ４２４および状態フラグ４２６を読み取る。ステップ５６４において例えば携帯電話機４８０のような別の電話機がインターネット１０および移動体通信網１４を介して携帯電話機４００にそのＩＰ電話番号（“０５０−ＡＡＡＡ−ＢＢＢＢ”）で発呼する。ステップ５６６において、呼制御装置１００のプロセッサ１０２はインターネット１０を介して着呼を表すＩＰパケットを受信する。そのＩＰパケットは、そのＩＰ電話番号を含むＳＩＰ  ＵＲＩを含んでいる。ステップ５６８において、プロセッサ１０２は、その受信したＩＰ電話番号を用いてデータベース１０４を検索する。ステップ５７０において、プロセッサ１０２は、その検索結果に基づいて携帯電話機４００がＲ／Ｗエリア３０内に存在するかどうかを判定する。
【００３４】
携帯電話機４００がＲ／Ｗエリア３０に存在しないと判定された場合は、プロセッサ１０２は、着呼を表すＩＰパケットを無線ＬＡＮアクセス・ポイント２００に送信する。携帯電話機４００が無線ＬＡＮエリア２０に存在するときは、携帯電話機４００に着信する。
【００３５】
ステップ５７０において携帯電話機４００がＲ／Ｗエリア３０内に存在すると判定された場合は、呼制御装置１００のプロセッサ１０２は、ステップ５７２において、携帯電話機４００への着呼を表す着呼情報を情報処理端末３００に送信し、ステップ５７４において携帯電話機４００への着呼を表すＩＰパケットを無線ＬＡＮアクセス・ポイント２００に送信する。
【００３６】
ステップ５７６において、情報処理端末３００のプロセッサ３０２は、その着呼情報の受信に応答して、非接触リーダ／ライタ３２０に、携帯電話機４００のＲＦ  ＩＤタグ４２０を書き換えるよう命令する。さらに、プロセッサ３０は、記憶装置３０３に予め格納されていた携帯電話機４００の状態フラグ４２６の値“００”を値“０１”に更新する。ステップ５７８において、その命令に従って、非接触リーダ／ライタ３２０は状態フラグ４２６を値“００”から値“０１”に書き換える。
【００３７】
ステップ５８０において、制御部４０６は、書き換えられた状態フラグ４２６の値“０１”に従って無線ＬＡＮ通信部４１４をイネーブルする。ステップ５８２において、非接触リーダ／ライタ３２０は周期的にＲＦ  ＩＤタグ４２０中のＩＤ４２４および状態フラグ４２６を読み取り、プロセッサ３０２は状態フラグ４２６が値“０１”であることを確認する。
【００３８】
手順５８６において、携帯電話機４００は、ビーコン受信可能となり、無線ＬＡＮアクセス・ポイント２００は、ビーコン信号内に携帯電話機４００が受け取るべきパケット・データがあることを示す情報を送信し、携帯電話機４００から応答を受信すると、携帯電話機４００に呼を着信させる。携帯電話機４００の制御部４０６は、通常の形態で無線ＬＡＮアクセス・ポイント２００からビーコン信号を受信し応答を送信し返し、上述の着呼を受信し、音響部４０８のスピーカを介して着信音またはビープ音を発生する。
【００３９】
ステップ５９０においてユーザが携帯電話機４００をオフフックすると、手順５９６〜５９９において、外部の携帯電話機４８０との間で、無線ＬＡＮアクセス・ポイント２００、呼制御装置１００、インターネット１０および移動体通信網１４を介してＩＰ電話用のＩＰパケットが送受信され、携帯電話機４００と携帯電話機４８０の間に呼が確立されて両者は通話状態となる。その通話の期間において、ステップ６００において非接触リーダ／ライタ３２０は通常の形態で周期的にＲＦ  ＩＤタグ４２０中のＩＤ４２４および状態フラグ４２６を読み取り、状態フラグ４２６の値を確認する。
【００４０】
ステップ６１０において携帯電話機４００がオンフックされまたは携帯電話機４８０がオンフックされると、手順６１２、６１４、６１６および６１８において、無線ＬＡＮアクセス・ポイント２００、呼制御装置１００、インターネット１０および移動体通信網１４を介して呼の解放を表すＩＰパケットが送受信される。
【００４１】
携帯電話機４００がオンフックされると、ステップ６２４において、制御部４０６は無線ＬＡＮ通信部４１４をディセーブルし、ＲＦ  ＩＤタグ４２０の状態フラグ４２６を値“００”に書き換える。
【００４２】
呼が解放されたとき、呼制御装置１００のプロセッサ１０２は、ステップ６２０において情報処理端末３００に通話終了の通知を表すＩＰパケットを送信する。情報処理端末３００のプロセッサ３０２は、携帯電話機４００の通話終了を表す状態を記憶装置３０３に格納する。プロセッサ３０２は、ステップ６２８において、周期的に非接触リーダ／ライタ３２０にＲＦ  ＩＤタグ４２０を読み取らせる。プロセッサ３０２は、その通話終了に対応してＲＦ  ＩＤタグ４２０の状態フラグ４２６が値“００”であることを確認する。その時、状態フラグ４２６が値“０１”であった場合は、プロセッサ３０２は、非接触リーダ／ライタ３２０に状態フラグ５１４を値“００”に書き換えさせる。
【００４３】
図８は、携帯電話機がＲ／Ｗエリア内に位置するときに携帯電話機に呼を着信させるための代替的な手順を示している。図８には図７における通話終了の通知を表すＩＰパケットを送信するステップ６２０が存在せず、ステップ５９２が加えられ、ステップ６００がステップ６０４に置き換えられている。図８のそれ以外の構成は図７と同様である。
【００４４】
図８において、携帯電話機４００がステップ５９０においてオフフックされた後、ステップ５９２において制御部４０６は状態フラグ４２６を通話中（ビジー）を表す値“１０”に書き換える。ステップ６０４において、非接触リーダ／ライタ３２０はＲＦ  ＩＤタグ４２０を読み取りその状態フラグ４２６の値“１０”を読み取って通話中であることを検出する。プロセッサ３０２は、記憶装置３０３に格納されている状態フラグ４２６を値“１０”に更新する。
【００４５】
ステップ６２４で携帯電話機４００がオフフックされステップ６２４で状態フラグ４２６が値“００”に書き換えられた後、ステップ６２８において、プロセッサ３０２は、非接触リーダ／ライタ３２０によって読み取られたＲＦ  ＩＤタグ４２０の状態フラグ４２６が値“００”であることを検出し、呼が解放されたと判断する。プロセッサ３０２は、記憶装置３０３に格納されている状態フラグ４２６を値“００”に更新する。
【００４６】
無線ＬＡＮエリア２０内の別の携帯電話機４８２が無線ＬＡＮアクセス・ポイント２００を介して携帯電話機４００にＩＰ電話番号宛てに発呼した場合にも、呼制御装置１００、情報処理端末３００および携帯電話機４００は同様に動作する。この場合、呼はインターネット１０および移動体通信網１４を経由しない。
【００４７】
図９は、携帯電話機４００がＲ／Ｗエリア３０内に位置する場合に携帯電話機４００から発呼するための手順を示している。
【００４８】
ステップ６４０において、ユーザが携帯電話機４００をオフフックしてＩＰ電話番号を入力して携帯電話機４８０に発呼すると、制御部４０６はＲＦ  ＩＤタグ４２０の状態フラグ４２６を値“００”から、発呼を表す値“１１”または無線ＬＡＮ通信部４１４の活動状態を表す値“０１”に書き換える。制御部４０６は、書き換えられたフラグ値“１１”または“０１”に従って無線ＬＡＮ通信部４１４をイネーブルする。
【００４９】
ステップ６４４において、非接触リーダ／ライタ３２０はＲＦ  ＩＤタグ４２０中のＩＤ４２４および状態フラグ４２６の値“１１”または“０１”を読み取る。ステップ６４６において、プロセッサ３０２は状態フラグ４２６が値“１１”であることまたは値が“００”から“０１”に変化したことを検出し、携帯電話機４００が発呼したと判断する。プロセッサ３０２は、記憶装置３０３に格納されている状態フラグ４２６を値“１１”または“０１”に更新する。
【００５０】
手順６７０において、携帯電話機４００の無線ＬＡＮ通信部１４１は、無線ＬＡＮアクセス・ポイント２００からビーコン信号を受信可能となり、無線ＬＡＮアクセス・ポイント２００に接続し、発呼する。無線ＬＡＮアクセス・ポイント２００は、手順６７２において発呼を表すＩＰパケットを呼制御装置１００に送信する。発呼を表すＩＰパケットは、手順６７３および６７４において、呼制御装置１００からインターネット１０および移動体通信網１４を介して携帯電話機４８０に転送される。携帯電話機４８０がオフフックされたとき、手順５９６〜５９９において、携帯電話機４００と外部の携帯電話機４８０との間で、無線ＬＡＮアクセス・ポイント２００、呼制御装置１００、インターネット１０および移動体通信網１４を介してＩＰ電話用のＩＰパケットが送受信され、携帯電話機４００と携帯電話機４８０の間に呼が確立されて両者は通話状態となる。その通話の期間において、ステップ６０４において非接触リーダ／ライタ３２０は通常の形態で周期的にＲＦ  ＩＤタグ４２０中のＩＤ４２４および状態フラグ４２６を読み取る。
【００５１】
ステップ６１０において携帯電話機４００がオンフックされまたは携帯電話機４８０がオンフックされると、手順６１２、６１４、６１６および６１８において、無線ＬＡＮアクセス・ポイント２００、呼制御装置１００、インターネット１０および移動体通信網１４を介して呼の解放を表すＩＰパケットが送受信される。
【００５２】
携帯電話機４００がオンフックされると、ステップ６２４において、制御部４０６は無線ＬＡＮ通信部４１４をディセーブルし、ＲＦ  ＩＤタグ４２０の状態フラグ４２６を値“００”に書き換える。
【００５３】
呼が解放されたとき、呼制御装置１００のプロセッサ１０２は、ステップ６２０において情報処理端末３００に通話終了の通知を表すＩＰパケットを送信する。情報処理端末３００のプロセッサ３０２は、携帯電話機４００の通話終了を表す状態を記憶装置３０３に格納する。プロセッサ３０２は、ステップ６２８において、周期的に非接触リーダ／ライタ３２０にＲＦ  ＩＤタグ４２０を読み取らせる。プロセッサ３０２は、その通話終了に対応してＲＦ  ＩＤタグ４２０の状態フラグ４２６が値“００”であることを確認する。その時、状態フラグ４２６が値“１１”または“０１”であった場合は、プロセッサ３０２は、非接触リーダ／ライタ３２０に状態フラグ５１４を値“００”に書き換えさせる。
【００５４】
図１０は、携帯電話機４００がＲ／Ｗエリア３０内に位置する場合に携帯電話機４００から発呼するための代替的な手順を示している。図１０には図９における通話終了の通知を表すＩＰパケットを送信するステップ６２０が存在せず、ステップ５９２が加えられ、ステップ６００がステップ６０４に置き換えられている。図８のそれ以外の構成は図７と同様である。ステップ６４２において状態フラグ４２６は値“１１”ではなくて図８と同様に値“０１”に書き換えられる。
【００５５】
図１０において、携帯電話機４００がステップ６４０においてオフフックされた後、ステップ５９２において制御部４０６は状態フラグ４２６を通話中（ビジー）を表す値“１０”に書き換える。ステップ６０４において、非接触リーダ／ライタ３２０はＲＦ  ＩＤタグ４２０を読み取りその状態フラグ４２６の値“１０”を読み取って通話中であることを検出する。プロセッサ３０２は、記憶装置３０３に格納されている状態フラグ４２６を値“１０”に更新する。
【００５６】
ステップ６２４で携帯電話機４００がオフフックされステップ６２４で状態フラグ４２６が値“００”に書き換えられた後、ステップ６２８において、プロセッサ３０２は、非接触リーダ／ライタ３２０によって読み取られたＲＦ  ＩＤタグ４２０の状態フラグ４２６が値“００”であることを検出し、呼が解放されたと判断する。プロセッサ３０２は、記憶装置３０３に格納されている状態フラグ４２６を値“００”に更新する。
【００５７】
携帯電話機４００が無線ＬＡＮアクセス・ポイント２００を介して無線ＬＡＮエリア２０内の別の携帯電話機４８２にそのＩＰ電話番号宛てに発呼した場合にも、呼制御装置１００情報処理端末３００および携帯電話機４００は同様に動作する。この場合、呼はインターネット１０および移動体通信網１４を経由しない。
【００５８】
このようにして、携帯電話機４００が無線ＬＡＮエリア２０内のＲ／Ｗエリア３０に位置する場合は、携帯電話機４００はビーコン信号の受信を停止し、バッテリ４１８の電力消費が最小化される。情報処理端末３００と同様の情報処理端末を無線ＬＡＮエリア２０内の複数箇所に配置することができる。ユーザが無線ＬＡＮエリア２０のそのような情報処理端末の配置されたＲ／Ｗエリア内にいる時間が長いと期待される場合、例えばオフィイスでは事務用パソコン付近、会議室等に情報処理端末３００を設置した場合には、バッテリ４１８の電力消費の節電効果はかなり大きい。携帯電話機は、通常、待ち受けについてバッテリは数週間もつが、ビーコン信号の受信待ち受けについてバッテリは数時間しかもたない。しかし、本発明の実施形態によれば、携帯電話機は、ビーコン信号の受信待ち受け時間が短くなるので、バッテリは１日以上もつようにできるであろう。
【００５９】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００６０】
以上の実施例を含む実施形態に関して、さらに以下の付記を開示する。
（付記１）  外部ネットワーク、内部ネットワークおよび無線ＬＡＮアクセス・ポイントに接続された情報処理装置と、前記内部ネットワークを介して前記情報処理装置に接続された情報処理端末と、前記無線ＬＡＮアクセス・ポイントに接続可能な携帯電話機と、を含むＩＰ電話システムであって、
前記携帯電話機は、前記無線ＬＡＮアクセス・ポイントと通信するための無線ＬＡＮ通信機能と、ＲＦ  ＩＤタグと、を含み、
前記情報処理端末は、前記ＲＦ  ＩＤタグを読み取り前記ＲＦ  ＩＤタグに書き込むよう構成された非接触読取り書込み装置を有し、
前記非接触読取り書込み装置によって前記ＲＦ  ＩＤタグの存在が検出されたとき、前記情報処理端末は、前記非接触読取り書込み装置に前記ＲＦ  ＩＤタグの状態フラグを前記携帯電話機の無線ＬＡＮ通信機能の非活動状態を表す第１の状態に書き換えさせ、前記携帯電話機の存在を表す存在情報を前記情報処理装置に送信し、
前記携帯電話機は、前記ＲＦ  ＩＤタグの状態フラグが前記第１の状態のとき前記無線ＬＡＮ通信機能をディセーブルし、
前記情報処理装置は、前記存在情報を受信してデータベースに格納し、
前記情報処理装置は、前記携帯電話機へのＩＰ電話の着呼の要求を受信したとき、前記データベースを検索して、前記情報処理端末に前記着呼を表す着呼情報を送信し、かつ前記無線ＬＡＮアクセス・ポイントに着呼を表すＩＰパケットを送信し、
前記情報処理端末は、前記情報処理装置から前記着呼情報を受信したとき、前記非接触読取り書込み装置に前記ＲＦ  ＩＤタグの状態フラグを前記携帯電話機の無線ＬＡＮ通信機能の活動状態を表す第２の状態に書き換えさせ、
前記携帯電話機は、前記ＲＦ  ＩＤタグの状態フラグが前記第２の状態のとき前記無線ＬＡＮ通信機能をイネーブルし、ＩＰ電話通信可能とするものであることを特徴とする、
ＩＰ電話システム。
（付記２）  前記携帯電話機は、ユーザによってオフフックされたとき、前記ＲＦ  ＩＤタグの状態フラグを前記第２の状態に変更するものである、付記１に記載のシステム。
（付記３）  前記携帯電話機は、さらに前記外部ネットワークに接続可能な移動体通信網を介して電話通信する機能を具えており、
前記非接触読取り書込み装置による読み取りによって前記ＲＦ  ＩＤタグの状態フラグが前記第１の状態であることを確認した後で前記非接触読取り書込み装置によって前記ＲＦ  ＩＤタグの存在が検出されなくなったとき、前記情報処理端末は、前記携帯電話機の不存在を表す不存在情報を前記情報処理装置に送信し、
前記情報処理装置は、前記不存在情報を受信したとき、前記外部ネットワークと前記移動体通信網とを介して、前記携帯電話機に前記ＲＦ  ＩＤタグの状態フラグを前記第２の状態に書き換えさせる命令を送信することを特徴とする、付記１または２に記載のシステム。
（付記４）  外部ネットワークおよび無線ＬＡＮアクセス・ポイントに接続された情報処理装置に内部ネットワークを介して接続可能な情報処理端末であって、
プロセッサと、
記憶装置と、
携帯電話機に設けられたＲＦ  ＩＤタグを読み取り前記ＲＦ  ＩＤタグに書き込むよう構成された非接触読取り書込み装置と、
を具え、
前記非接触読取り書込み装置によって前記ＲＦ  ＩＤタグの存在が検出されたとき、前記プロセッサは、前記非接触読取り書込み装置に、前記携帯電話機の前記ＲＦ  ＩＤタグの状態フラグを前記携帯電話機の無線ＬＡＮ通信機能の非活動状態を表す第１の状態に書き換えさせ、前記携帯電話機の存在位置を表す存在情報を前記情報処理装置に送信し、
前記情報処理装置から前記着呼情報を受信したとき、前記プロセッサは、前記非接触読取り書込み装置に、前記携帯電話機の前記ＲＦ  ＩＤタグの状態フラグを前記携帯電話機の前記無線ＬＡＮ通信機能の活動状態を表す第２の状態に書き換えさせることを特徴とする、
情報処理端末。
（付記５）  前記非接触読取り書込み装置による読み取りによって前記ＲＦ  ＩＤタグの状態フラグが前記第１の状態であることを確認した後で前記非接触読取り書込み装置によって前記ＲＦ  ＩＤタグの存在が検出されなくなったとき、前記プロセッサは、前記携帯電話機に前記ＲＦ  ＩＤタグの状態フラグを前記第２の状態に書き換えさせるために、前記携帯電話機の不存在を表す不存在情報を前記情報処理装置に送信することを特徴とする、付記４に記載の情報処理端末。
（付記６）  外部ネットワーク、内部ネットワークおよび無線ＬＡＮアクセス・ポイントに接続され、前記内部ネットワークを介して情報処理端末に接続される情報処理装置であって、
プロセッサと、データベースと、を具え、
前記プロセッサは、前記情報処理端末から携帯電話機の存在位置を表す存在情報を受信して前記携帯電話の電話番号に対応付けて前記データベースに格納し、
前記プロセッサは、前記携帯電話機へのＩＰ電話の着呼の要求を受信したとき、前記データベースを検索して、前記着呼を表す着呼情報を前記情報処理端末に送信し、かつ前記着呼を表すＩＰパケットを前記無線ＬＡＮアクセス・ポイントに送信し、
前記プロセッサは、前記情報処理端末から前記携帯電話機の不存在を表す不存在情報を受信したとき、前記外部ネットワークと前記移動体通信網とを介して前記携帯電話機に無線ＬＡＮ通信機能をイネーブルさせる命令のメッセージを送信することを特徴とする、情報処理装置。
（付記７）  移動体通信網と無線ＬＡＮアクセス・ポイントとに接続可能な携帯電話機であって、
制御部と、
記憶装置と、
前記無線ＬＡＮアクセス・ポイントを介して通信するよう構成された無線ＬＡＮ通信部と、
前記移動体通信網を介して通信するよう構成された移動体通信部と、
情報処理端末の非接触読取り書込み装置によって読み取られ書き込まれ、前記制御部によって読み取り可能なＲＦ  ＩＤタグと、を具え、
前記非接触読取り書込み装置によって前記ＲＦ  ＩＤタグの状態フラグが第１の状態に書き換えられたとき、前記プロセッサは、前記無線ＬＡＮ通信部をディセーブルし、
前記非接触読取り書込み装置によって前記ＲＦ  ＩＤタグの前記状態フラグが第２の状態に書き換えられたとき、前記プロセッサは、前記無線ＬＡＮ通信部をイネーブルし、
前記プロセッサは、前記移動体通信網を介して、前記ＲＦ  ＩＤタグの前記状態フラグを前記第２の状態に変更するよう命令するメッセージを受信したとき、前記ＲＦ  ＩＤタグの状態フラグを前記第２の状態に変更するものであることを特徴とする、携帯電話機。
（付記８）  外部ネットワークおよび無線ＬＡＮアクセス・ポイントに接続された情報処理装置に内部ネットワークを介して接続可能であり、携帯電話機に設けられたＲＦ  ＩＤタグを読み取り前記ＲＦ  ＩＤタグに書き込むよう構成された非接触読取り書込み装置を具えた情報処理端末用のプログラムであって、
前記非接触読取り書込み装置によって前記ＲＦ  ＩＤタグの存在が検出されたとき、前記非接触取り書き込み装置に、前記携帯電話機の前記ＲＦ  ＩＤタグの状態フラグを前記携帯電話機の無線ＬＡＮ通信機能の非活動状態を表す第１の状態に書き換えさせ、前記携帯電話機の存在を表す存在情報を前記情報処理装置に送信するステップと、
前記情報処理装置から前記着呼情報を受信したとき、前記非接触読取り書込み装置に前記携帯電話機の前記ＲＦ  ＩＤタグの状態フラグを前記携帯電話機の前記無線ＬＡＮ通信機能の活動状態を表す第２の状態に書き換えさせるステップと、
を実行させるよう動作可能なプログラム。
（付記９）  外部ネットワーク、内部ネットワークおよび無線ＬＡＮアクセス・ポイントに接続され、前記内部ネットワークを介して情報処理端末に接続される情報処理装置用のプログラムであって、
前記情報処理端末から携帯電話機の存在を表す存在情報を受信してデータベースに格納するステップと、
前記携帯電話機へのＩＰ電話の着呼の要求を受信したとき、前記データベースを検索して、前記情報処理端末に前記着呼を表す着呼情報を送信し、かつ前記無線ＬＡＮアクセス・ポイントに着呼を表すＩＰパケットを送信するステップと、
前記情報処理端末から前記携帯電話機の不存在を表す不存在情報を受信したとき、前記外部ネットワークと前記移動体通信網とを介して、前記携帯電話機に前記携帯電話機の無線ＬＡＮ通信機能をイネーブルさせる命令を送信するステップと、
を実行させるよう動作可能なプログラム。
【図面の簡単な説明】
【００６１】
【図１】図１は、本発明の実施形態による、無線ＬＡＮ（ローカルエリア・ネットワーク）を介したＩＰ電話システムの概略的な構成を示している。
【図２】図２は、本発明の実施形態による情報処理装置の構成を示している。
【図３】図３は、本発明の実施形態による情報処理端末の構成を示している。
【図４】図４は、本発明の実施形態による携帯電話機の構成を示している。
【図５】図５は、ユーザが携帯電話機を所持して無線ＬＡＮエリアに入り、さらに情報処理端末の非接触リーダ／ライタのＲ／Ｗエリアに入った場合における、携帯電話機、情報処理端末および呼制御装置の動作を示している。
【図６】図６は、ユーザが携帯電話機を所持してＲ／Ｗエリアを出て無線ＬＡＮエリア内の別の位置に移動した場合における、携帯電話機、情報処理端末および呼制御装置の動作を示している。
【図７】図７は、携帯電話機がＲ／Ｗエリア内に位置するときに携帯電話機に呼を着信させるための手順を示している。
【図８】図８は、携帯電話機がＲ／Ｗエリア内に位置するときに携帯電話機に呼を着信させるための代替的な手順を示している。
【図９】図９は、携帯電話機がＲ／Ｗエリア内に位置する場合に携帯電話機から発呼するための手順を示している。
【図１０】図１０は、携帯電話機がＲ／Ｗエリア内に位置する場合に携帯電話機から発呼するための代替的な手順を示している。
【符号の説明】
【００６２】
１０  ＩＰネットワーク
１４  移動体通信網
２０  無線ＬＡＮエリア
２５  有線ＬＡＮ
３０  リーダ／ライタ・エリア
１００  呼制御装置
１０４  データベース
２００  無線ＬＡＮアクセス・ポイント
３００  情報処理端末
４００  携帯電話機
【図１】
2006319878.tif 000003
【図２】
2006319878.tif 000004
【図３】
2006319878.tif 000005
【図４】
2006319878.tif 000006
【図５】
2006319878.tif 000007
【図６】
2006319878.tif 000008
【図７】
2006319878.tif 000009
【図８】
2006319878.tif 000010
【図９】
2006319878.tif 000011
【図１０】
2006319878.tif 000012